(57)【要約】【課題】二酸化窒素および二酸化硫黄の除去率を向上させて、運転コストの増加を抑制した排ガス処理装置を提供することにある。【解決手段】排ガス１１中の二酸化窒素および二酸化硫黄を処理する排ガス処理装置１０であって、排ガス１１が流通する筐体１２と、この筐体１２内に配置され、前記二酸化窒素および二酸化硫黄を吸収除去する吸収成分を含有する基材１３と、排ガス１１に水分である水１６を噴霧する噴霧ノズル１４とを具備し、この噴霧ノズル１４をガスの流通方向において基材１３よりも上流側に配置させて、基材１３の表面に水滴を生じさせ、前記水滴を介して前記吸収成分と前記二酸化窒素および二酸化硫黄とを反応させて除去するようにした。【選択図】図１
2008188569.tif 000002
【特許請求の範囲】
【請求項１】
排ガス中の二酸化窒素および二酸化硫黄を吸収除去する吸収成分を含有する基材に当該排ガスおよび水分を流通させて、前記基材の表面に水滴を発生させ、前記水滴を介して前記吸収成分と前記二酸化窒素および二酸化硫黄とを反応させて吸収除去するようにした
ことを特徴とする排ガス処理方法。
【請求項２】
請求項１に記載された排ガス処理方法であって、
前記水分の流量を０．００１ｋｇＨ2Ｏ／ｍ3ガス以上０．０５ｋｇＨ2Ｏ／ｍ3ガス以下とする
ことを特徴とする排ガス処理方法。
【請求項３】
排ガス中の二酸化窒素および二酸化硫黄を処理する排ガス処理装置であって、
前記排ガスが流通する筐体と、
前記筐体内に配置され、前記二酸化窒素および二酸化硫黄を吸収除去する吸収成分を含有する基材と、
前記排ガスに水分を噴霧する水分噴霧手段とを具備し、
前記水分噴霧手段をガスの流通方向において前記基材よりも上流側に配置させて、前記基材の表面に水滴を生じさせ、前記水滴を介して前記吸収成分と前記二酸化窒素および二酸化硫黄とを反応させて除去するようにした
ことを特徴とする排ガス処理装置。
【請求項４】
請求項３に記載された排ガス処理装置であって、
前記排ガスの温度を計測する排ガス温度計測手段と、
前記排ガスの湿度を計測する排ガス湿度計測手段と、
前記排ガス温度計測手段による排ガスの温度および前記排ガス湿度計測手段による排ガスの湿度に基づき、前記水分噴霧手段による水分の噴霧量を調整する水分噴霧量調整手段とをさらに具備し、
前記排ガス温度計測手段および前記排ガス湿度計測手段をガスの流通方向にて前記水分噴霧手段の上流側に配置させる
ことを特徴とする排ガス処理装置。
【発明の詳細な説明】
【技術分野】
【０００１】
本発明は、排ガスを処理する排ガス処理方法、および装置に関し、特に、トンネルなどの制限された空間内に配置されて、自動車などからの排ガス中の二酸化窒素および二酸化硫黄を吸収する吸収剤を用いた排ガス処理方法、および装置に関する。
【背景技術】
【０００２】
近年、交通量の増大に伴って、トンネルなどの制限された空間内の二酸化窒素（ＮＯ2）の濃度が上昇する傾向にある。また、一方で健康障害などの観点より、排ガス中のＮＯ2は浮遊粒子状物質（ＳＰＭ）、二酸化硫黄（ＳＯ2）、揮発性有機炭化水素（ＶＯＣ）などと並んでその処理が切望されている状況にある。
【０００３】
このような排ガス中の二酸化窒素を処理する技術として、前記空間内に配置されて、自動車などからの排ガス中の二酸化窒素を吸収する吸収剤が開発されている。
【０００４】
上記吸収剤として、例えば、硫酸カルシウム（石膏）、水酸化カルシウム（消石灰）、活性炭、不定形炭素、二酸化窒素を吸収する吸収成分であるアルカリを含む基材を焼成してなる窒素酸化物、硫黄酸化物の吸収剤がある（特許文献１を参照）。
【０００５】
このような吸収剤５１は、例えば、図４に示すように、筐体５２内に配置されて排ガス処理装置５０に用いられている。この筐体５２に排ガス５３を流通させることで、この排ガス５３に含まれる二酸化窒素を吸収剤５１で吸収して除去し、処理されたガス５４が筐体５２から排気されている。
【０００６】
【特許文献１】特開平１−１７６４５０号公報
【発明の開示】
【発明が解決しようとする課題】
【０００７】
しかしながら、上述した排ガス処理装置５０では、排ガス５３から二酸化窒素を吸収剤５１により吸収して除去することができるものの、この反応が気体−固体間の反応であり、この反応速度が遅く、また吸収剤５１中のアルカリ成分の利用率が低かった。さらに、このアルカリ成分の担持量は物理的に限界があるため、この利用率が低いと二酸化窒素を所定の除去率にて除去できる期間が短くなり、新たな吸収剤または再生処理された吸収剤と交換しなければならず、運転コストを増加させてしまう。
【０００８】
また、トンネルまたは密閉された空間に排出される排ガスには、二酸化窒素と共に二酸化硫黄（ＳＯ2）も含有しているが、従来の吸収剤では二酸化硫黄の除去率が低かった。
【０００９】
そこで、本発明は、前述した問題に鑑み提案されたもので、二酸化窒素および二酸化硫黄の除去率を向上させて、運転コストの増加を抑制した排ガス処理方法、および装置を提供することを目的とする。
【課題を解決するための手段】
【００１０】
上述した課題を解決する第１の発明に係る排ガス処理方法は、排ガス中の二酸化窒素および二酸化硫黄を吸収除去する吸収成分を含有する基材に当該排ガスおよび水分を流通させて、前記基材の表面に水滴を発生させ、前記水滴を介して前記吸収成分と前記二酸化窒素および二酸化硫黄とを反応させて吸収除去するようにしたことを特徴とする。
【００１１】
上述した課題を解決する第２の発明に係る排ガス処理方法は、第１の発明に係る排ガス処理方法であって、前記水分の流量を０．００１ｋｇＨ2Ｏ／ｍ3ガス以上０．０５ｋｇＨ2Ｏ／ｍ3ガス以下とすることを特徴とする。
【００１２】
上述した課題を解決する第３の発明に係る排ガス処理装置は、排ガス中の二酸化窒素および二酸化硫黄を処理する排ガス処理装置であって、前記排ガスが流通する筐体と、前記筐体内に配置され、前記二酸化窒素および二酸化硫黄を吸収除去する吸収成分を含有する基材と、前記排ガスに水分を噴霧する水分噴霧手段とを具備し、前記水分噴霧手段をガスの流通方向において前記基材よりも上流側に配置させて、前記基材の表面に水滴を生じさせ、前記水滴を介して前記吸収成分と前記二酸化窒素および二酸化硫黄とを反応させて除去するようにしたことを特徴とする。
【００１３】
上述した課題を解決する第４の発明に係る排ガス処理装置は、第３の発明に係る排ガス処理装置であって、前記排ガスの温度を計測する排ガス温度計測手段と、前記排ガスの湿度を計測する排ガス湿度計測手段と、前記排ガス温度計測手段による排ガスの温度および前記排ガス湿度計測手段による排ガスの湿度に基づき、前記水分噴霧手段による水分の噴霧量を調整する水分噴霧量調整手段とをさらに具備し、前記排ガス温度計測手段および前記排ガス湿度計測手段をガスの流通方向にて前記水分噴霧手段の上流側に配置させることを特徴とする。
【発明の効果】
【００１４】
本発明に係る排ガス処理方法によれば、排ガス中の二酸化窒素および二酸化硫黄を吸収除去する吸収成分を含有する基材に当該排ガスおよび水分を流通させて、前記基材の表面に水滴を発生させ、前記水滴を介して前記吸収成分と前記二酸化窒素および二酸化硫黄とを反応させて吸収除去するようにしたことにより、前記吸収成分と前記二酸化窒素および二酸化硫黄が液体と液体との反応になり、この反応が気体と固体間の反応と比べて反応速度が速いため、これら成分の吸収除去性能を向上させることができる。その結果、基材の交換間隔を長くすることができ、運転コストの増加を抑制することができる。
【００１５】
本発明に係る排ガス処理方法によれば、前記水分の流量を０．００１ｋｇＨ2Ｏ／ｍ3ガス以上０．０５ｋｇＨ2Ｏ／ｍ3ガス以下とすることにより、基材の表面に均一に水滴を発生させて、前記吸収成分と前記二酸化窒素および二酸化硫黄とを効率良く反応させて吸収除去することができる。その結果、基材の交換間隔をさらに長くすることができ、運転コストの増加をさらに抑制することができる。
【００１６】
本発明に係る排ガス処理装置によれば、排ガス中の二酸化窒素および二酸化硫黄を処理する排ガス処理装置であって、前記排ガスが流通する筐体と、前記筐体内に配置され、前記二酸化窒素および二酸化硫黄を吸収除去する吸収成分を含有する基材と、前記排ガスに水分を噴霧する水分噴霧手段とを具備し、前記水分噴霧手段をガスの流通方向において前記基材よりも上流側に配置させて、前記基材の表面に水滴を生じさせ、前記水滴を介して前記吸収成分と前記二酸化窒素および二酸化硫黄とを反応させて除去するようにしたことにより、簡易な構造にて、基材が含有する吸収成分と前記二酸化窒素および二酸化硫黄との反応が液体間の反応となり、この反応が気体と固体間の反応と比べて反応速度が速いため、これら成分の吸収除去性能を向上させることができる。その結果、基材の交換間隔を長くすることができ、運転コストの増加を抑制することができる。
【００１７】
本発明に係る排ガス処理装置によれば、前記排ガスの温度を計測する排ガス温度計測手段と、前記排ガスの湿度を計測する排ガス湿度計測手段と、前記排ガス温度計測手段による排ガスの温度および前記排ガス湿度計測手段による排ガスの湿度に基づき、前記水分噴霧手段による水分の噴霧量を調整する水分噴霧量調整手段とをさらに具備し、前記排ガス温度計測手段および前記排ガス湿度計測手段をガスの流通方向にて前記水分噴霧手段の上流側に配置させることにより、確実に基材の表面に水滴をより確実に生じさせることができ、吸収成分と二酸化窒素および二酸化硫黄との反応を液体間の反応としてより確実に生じさせることができ、この反応が気体と固体間の反応と比べて反応速度が速いため、これら成分の吸収除去性能を向上させることができる。その結果、基材の交換間隔をより確実に長くすることができ、運転コストの増加を抑制することができる。
【発明を実施するための最良の形態】
【００１８】
以下に、本発明に係る排ガス処理方法および装置を実施するための最良の形態について、説明する。
【００１９】
本発明の最良の実施形態に係る排ガス処理方法は、排ガス中の二酸化窒素および二酸化硫黄を吸収除去する吸収成分を含有する基材からなる吸収剤に当該排ガスおよび水分を流通させて、前記基材の表面に水滴を発生させ、水滴内や、水滴または吸湿した水分（液体成分）が前記吸収成分と隣接した状態など前記水滴を介して前記吸収成分と前記二酸化窒素および二酸化硫黄とを反応させて吸収除去するようにしたことを特徴とする方法である。
【００２０】
この方法によれば、前記吸収成分と前記二酸化窒素および二酸化硫黄が液体と液体との反応になり、この反応が気体と固体間の反応と比べて反応速度が速いため、これら成分の吸収除去性能を向上させることができる。その結果、吸収剤の交換間隔を長くすることができ、運転コストの増加を抑制することができる。
【実施例１】
【００２１】
以下に、第１の実施例に係る排ガス処理方法および装置につき、図１を参照して具体的に説明する。
図１は、本発明の第１の実施例に係る排ガス処理装置の模式図である。
【００２２】
本発明の第１の実施例に係る排ガス処理装置１０は、図１に示すように、排ガス１１が流通する略円筒状の筐体１２を具備する。この筐体１２は、大径部１２ａと、この両端に接続する小径部１２ｂとを有する。この筐体１２の大径部１２ａには、二酸化窒素および二酸化硫黄を吸収する吸収成分を含有する基材からなる吸収剤１３が配置される。この筐体１２の大径部１２ａにおける、ガスの流通方向において吸収剤１３よりも上流側には、排ガス１１に水分、例えば、粒径が１００μｍ以下の微細の水滴または水蒸気を噴霧する噴霧ノズル（水分噴霧手段）１４が配置される。噴霧ノズル１４には流量調整器１５が接続されており、この流量調整器１５を介して水１６が噴霧ノズル１４に供給される。排ガス１１が導入される筐体１２の小径部１２ｂには、排ガス１１の温度を計測する温度センサ（排ガス温度計測手段）１８ａと、排ガス１１の湿度を計測する湿度センサ（排ガス湿度計測手段）１８ｂとが設けられる。すなわち、これらセンサ１８ａ，１８ｂは、ガスの流通方向にて噴霧ノズル１４の上流側に配置される。これらセンサ１８ａ，１８ｂにて計測された排ガス１１の温度および湿度は、制御装置１９に送られ、これらデータに基づき噴霧ノズル１４による水分の噴霧量が流量調整器１５にて調整される。なお、流量調整器１５および制御装置１９が水分噴霧量調整手段に該当する。
【００２３】
なお、上述した吸収剤１３としては、例えば、硫酸カルシウム（石膏）、水酸化カルシウム（消石灰）、活性炭、結合剤であるセルロース誘導体（不定形炭素）を含み、これら原料を成型し、これを焼成した基材に二酸化窒素（窒素酸化物）および二酸化硫黄（硫黄酸化物）を吸収する吸収成分であるカリウムなどのアルカリを担持し乾燥して作製される吸収剤などが挙げられる。
【００２４】
上述した排ガス処理装置１０では、筐体１２の小径部１２ｂから排ガス１１が導入される。筐体１２の大径部１２ａの上流側にて、水１６からなる水分、例えば微細の水滴または水蒸気が噴霧ノズル１４から排ガス１１に噴霧される。これにより、前記水分は、排ガス１１と同伴して筐体１２内を流通し吸収剤１３と接触する。このとき、吸収剤１３の表面に均一に微細な水滴が付着したり微細な水滴が発生したりして、吸収剤１３中の吸収成分が当該吸収剤１３の表面に凝集した水滴（液体）中に溶解する。さらに、吸収剤１３が潮解し吸収剤１３の前記吸収成分が溶解したりする。その結果、吸収剤１３の吸収成分は、水滴内に溶解したり、水滴または吸収剤１３に吸湿された水分と隣接した状態になったりする。ここで、噴霧ノズル１４から噴霧される水分が水滴である場合には、排ガス１１が筐体１２の大径部１２ａの上流側から吸収剤１３に流通するまでの間に、上記微細の水滴に排ガス１１中の二酸化窒素および二酸化硫黄が溶解していき、酸性の水滴（液滴）となる。この酸性の液滴（二酸化窒素および二酸化硫黄含有の液滴）と吸収剤１３の吸収成分とが反応して、この吸収剤１３に酸性の液滴に含まれる二酸化窒素および二酸化硫黄が吸収除去される。具体的には、下記（１）式、（２）式、および（３）式により排ガス１１内の二酸化窒素が除去される。また、下記（４）式、および（５）式により排ガス１１内の二酸化硫黄が除去される。
【００２５】
ＮＯ2  ＋  Ｈ2Ｏ  →  ＨＮＯ2  ＋  ＨＮＯ3    ・・・  （１）
ＨＮＯ2  ＋  ＡＯＨ  →  ＡＮＯ2  ＋  Ｈ2Ｏ    ・・・  （２）
ＨＮＯ3  ＋  ＡＯＨ  →  ＡＮＯ3  ＋  Ｈ2Ｏ    ・・・  （３）
なお、上記（２）式および（３）式において、Ａはアルカリを示す。
【００２６】
ＳＯ2  ＋  Ｈ2Ｏ        →  Ｈ2ＳＯ3                ・・・  （４）
Ｈ2ＳＯ3  ＋  ２ＡＯＨ  →  Ａ2ＳＯ3  ＋  ２Ｈ2Ｏ  ・・・  （５）
なお、上記（４）式および（５）式において、Ａはアルカリを示す。
【００２７】
よって、噴霧ノズル１４から筐体１２内に噴霧される水分の噴霧量は、排ガス１１の温度および湿度を温度センサ１８ａおよび湿度センサ１８ｂにより連続測定し、噴霧された水分によって吸収剤１３の表面に微細な水滴が保持されるように調整される。すなわち、水分の噴霧量を、排ガス１１の湿度により異なるが、通常単位ガス量に対して０．００１ｋｇＨ2Ｏ／ｍ3ガス以上０．０５ｋｇＨ2Ｏ／ｍ3ガス以下の範囲とする。この範囲を超えたり、この範囲より少なくなったりすると、排ガス１１中の二酸化窒素および二酸化硫黄の除去性能が低下してしまう。なお、この水分の噴霧量は、二酸化窒素、二酸化硫黄が液滴へ溶解する時間を要するため、水分過飽和度、二酸化窒素および二酸化硫黄のガス濃度、噴霧ノズル１４の配置箇所、吸収剤１３の大きさ、およびこの二酸化窒素の除去性能などと相関して決定される。
【００２８】
したがって、本発明の第１の実施例に係る排ガス処理装置１０によれば、吸収剤１３の吸収成分による二酸化窒素および二酸化硫黄の吸収除去反応を液体−液体反応、および気体−液体反応とすることができ、気体−固体反応だけであった従来の排ガス処理装置と比べて、反応速度が速くなり、排ガス１１中の二酸化窒素および二酸化硫黄の除去性能を向上させることができる。また、排ガス１１中に噴霧される水分が微細な液滴である場合には、この液滴の表面積が大きいため、この液滴への排ガス１１中の二酸化窒素および二酸化硫黄の溶解を促進させて、これら成分の除去性能を向上させることができる。その結果、吸収剤１３の交換間隔を長くすることができ、運転コストの増加を抑制することができる。また、吸収剤１３が含有する吸収成分の利用率が向上するため、運転コストの増加をさらに抑制することができる。
【００２９】
なお、上記では、吸収剤１３の上流側に配置される噴霧ノズル１４から噴霧される水分により排ガス１１の湿度（筐体１２内の湿度）、および吸収剤１３の潮解を調整した排ガス処理装置１０を用いて説明したが、排ガスに噴霧される水分にＫＯＨやＫ2ＣＯ3などの二酸化窒素および二酸化硫黄の吸収促進剤を含有させた水溶液を噴霧ノズルに供給するようにした排ガス処理装置としても良い。このような排ガス処理装置であっても、上述した本発明の第１の実施例に係る排ガス処理装置１０と同様な作用効果を奏する他、水分に含有される吸収促進剤自体も排ガス中の二酸化窒素および二酸化硫黄を吸収除去する作用を発現するため、これらを吸収除去する性能が向上し、その分、吸収剤の交換間隔が長くなって、運転コストの増加をさらに抑制することができる。
【実施例２】
【００３０】
本発明の第２の実施例に係る排ガス処理方法および装置につき、図２を参照して具体的に説明する。
図２は、本発明の第２の実施例に係る排ガス処理装置の模式図である。
本発明の第２の実施例に係る排ガス処理装置は、排ガスの湿度調整機構を変更したものである。上記本発明の第１の実施例に係る排ガス処理装置１０と同一部材には同一符号を付記し、その説明を省略する。
【００３１】
本発明の第２の実施例に係る排ガス処理装置２０は、図２に示すように、筐体１２の小径部１２ｂに水分の一形態である水蒸気２６を噴霧する噴霧ノズル（水分噴霧手段（水蒸気噴霧手段））２４が配置される。この噴霧ノズル２４には流量調整器２５が接続されており、この流量調整器２５を介して水蒸気２６が噴霧ノズル２４に供給される。排ガス１１が導入される筐体１２の小径部１２ｂには、排ガス１１の温度を計測する温度センサ（排ガス温度計測手段）２８ａと、排ガス１１の湿度を計測する湿度センサ（排ガス湿度計測手段）２８ｂとが設けられる。これらセンサ２８ａ，２８ｂは、ガスの流通方向にて噴霧ノズル２４の上流側に配置される。これらセンサ２８ａ，２８ｂにて計測された排ガス１１の温度および湿度は、制御装置２９に送られ、これらデータに基づき噴霧ノズル２４による水蒸気の噴霧量が流量調整器２５にて調整される。なお、流量調整器２５および制御装置２９が水分噴霧量調整手段に該当する。
【００３２】
上述した排ガス処理装置２０では、噴霧ノズル２４から水蒸気２６が噴霧される。これにより、水蒸気２６は、排ガス１１と筐体１２内を流通し吸収剤１３と接触する。このとき、吸収剤１３の表面に均一に微細な水滴が付着したり微細な水滴が発生したりして、吸収剤１３中の吸収成分が当該吸収剤の表面に凝集した水滴中に溶解する。さらに、吸収剤１３が潮解し吸収剤１３の吸収成分が溶解したりする。その結果、吸収剤１３の吸収成分は、水滴内に溶解したり、水滴または吸収剤１３に吸湿された水分と接して隣接した状態になったりする。ここで、噴霧ノズル２４から噴霧された水蒸気２６は、筐体１２の大径部１２ａに配置される吸収剤１３に流通する間にて、排ガス１１中の二酸化窒素および二酸化硫黄が溶解していき、酸性の水滴（液滴）となる。この酸性の液滴（二酸化窒素および二酸化硫黄含有の液滴）と吸収剤１３の吸収成分とが反応して、この吸収剤１３に酸性の液滴に含まれる二酸化窒素および二酸化硫黄が吸収除去される。また、噴霧ノズル２４から水蒸気２６が噴霧されるため、液体である水を噴霧するよりもその粒径を小さな液滴とすることができる。その結果、この液滴の表面積が大きくなり、排ガス１１中の二酸化窒素および二酸化硫黄の溶解を促進して、これらの除去性能を向上させることができる。
【００３３】
したがって、本発明の第２の実施例に係る排ガス処理装置２０によれば、上述した本発明の第１の実施例に係る排ガス処理装置１０と同様な作用効果を奏する他、噴霧ノズル２４から水蒸気２６が噴霧されるため、水が噴霧される場合よりも小さな液滴とし、この表面積を大きくすることができる。その結果、排ガス１１中の二酸化窒素および二酸化硫黄の除去性能が向上して、吸収剤１３の交換時期を長くすることができ、運転コストの増加を抑制することができる。
【００３４】
［評価］
ここで、排ガスを湿度調整した場合の二酸化窒素の除去性能と、排ガスを湿度調整しない場合の二酸化窒素の除去性能とを図３に示す。
ただし、排ガスの流量を８６０ｍ3／時間とし、排ガスを軽油燃焼ガスと大気とからなるガス性状とし、噴霧水を１．６ｋｇ／ｈとし、噴霧量を０．００１９ｋｇＨ2Ｏ／ｍ3ガスとし、吸収剤の大きさを０．０５７ｍ3とした。また、二酸化窒素の目標除去率を９０％とした。領域Ａでは水の噴霧をせず、領域Ｂでは１時間毎に水を間欠噴霧し、領域Ｃでは水の噴霧を停止した。
【００３５】
この図３に示すように、領域Ａでは時間が経過するに従い二酸化窒素の除去率が徐々に低下して９０％を下回り、領域Ｂでは１時間毎の水の間欠噴霧により二酸化窒素の除去率を９０％以上に維持することができ、領域Ｃでは時間が経過するに従い二酸化窒素の除去率が徐々に低下し９０％を下回ることが分かった。
【００３６】
よって、吸収剤の上流側にて排ガスに水を噴霧することにより吸収剤の二酸化窒素の吸収除去性能を所定値以上に維持することができ、運転コストの増加を抑制することができることが分かった。
【００３７】
なお、上記では、水の噴霧を間欠的に行う排ガス処理方法にて説明したが、連続的に水を噴霧したり、水蒸気を間欠または連続にて噴霧したりする排ガス処理方法としても良く、このような処理方法であっても、上述した処理方法と同様な作用効果を奏する。
【図面の簡単な説明】
【００３８】
【図１】本発明の第１の実施例に係る排ガス処理装置の模式図である。
【図２】本発明の第２の実施例に係る排ガス処理装置の模式図である。
【図３】吸収剤の二酸化窒素の除去性能と排ガスへの水の噴霧との関係を示すグラフである。
【図４】従来の排ガス処理装置の模式図である。
【符号の説明】
【００３９】
１０，２０    排ガス処理装置
１１          排ガス
１２          筐体
１３          吸収剤
１４          噴霧ノズル
１５          流量調整器
１６          水
１８ａ        温度センサ
１８ｂ        湿度センサ
１９          制御装置
２４          噴霧ノズル
２５          流量調整器
２６          水蒸気
２８ａ        温度センサ
２８ｂ        湿度センサ
２９          制御装置
【図１】
2008188569.tif 000003
【図２】
2008188569.tif 000004
【図３】
2008188569.tif 000005
【図４】
2008188569.tif 000006